(57)【要約】【課題】故障など不具合が発生しにくく電源やセンサー不要で、甚だシンプルかつ堅牢で美観や使用感が良く、消毒達成度の高い足踏み式消毒スタンドを低コストで提供する。【解決手段】台座１のやや後方に略板状の縦長支柱２を垂立させるとともにその後方にそれより若干小型略同型の縦長押棒３を並立させ、両者の連結はそれらの上端において前方に向け水平に伸びる押板体４の後部の支柱側に設ける前蝶番５ａと押棒側に設ける後蝶番５ｂによるものとし、該支柱２の下端は台座１に直接固定させるともにその若干前方に踏み板６を小回動させるに足る支点体７ａを設け、該踏み板６の後端部において押棒３の下端を下蝶番５ｃで連結させ、該支柱２の中上部において落下防止体８ａ付きの消毒液用容器載置板８を前方に張り出すように設ける。また台座１の上面と踏み板６の下面の間に挟まって載置される三角柱体の頂上稜線部を支点体７ａとする。【選択図】図１
0003228748.tif 000002
【実用新案登録請求の範囲】
【請求項１】
台座のやや後方に略板状の縦長支柱を垂立させるとともにその後方にそれより若干小型略同型の縦長押棒を並立させ、両者の連結はそれらの上端において前方に向け水平に伸びる押板体の後部の支柱側に設ける前蝶番と押棒側に設ける後蝶番によるものとし、該支柱の下端は台座に直接固定させるともにその若干前方に踏み板を小回動させるに足る支点体を設け、該踏み板の後端部において該押棒の下端を下蝶番で連結させ、該支柱の中上部において落下防止体付きの消毒液用容器載置板を前方に張り出すように設けて成ることを特徴とする消毒スタンド。
【請求項２】
支点体が台座の上面と踏み板の下面の間に挟まって載置される三角柱体の頂上稜線部である請求項１記載の消毒スタンド。
【考案の詳細な説明】
【考案の詳細な説明】
【技術分野】
【０００１】この考案は、ウイルス感染等の予防対策として用いられる手指を消毒又は洗浄するための消毒スタンドに関する。
【背景技術】
【０００２】最近、全世界的な脅威となっている新型コロナウイルスには未だ決定的に対処できる治療薬やワクチンが存在せず、感染爆発や重症化したときの致死率の高さ及び医療崩壊の危機懸念などから、これを極力、初期の段階でくい止めるためのいわゆるソーシャルディスタンスなど「３密」を避ける自粛要請がなされていることは周知の通りである。そこで民間個人が心掛けるべき主な対策としてマスク着用と手洗い（消毒）がある。【０００３】このうち水道水や洗剤を使って手洗いができる場所は当然に限られているから、外出先等ではスタンド設置型の消毒（除菌）装置が要望されており、それには様々なタイプのものがある。その際、使用にあたって片手ずつしかできないと、非効率であるばかりか途中からそれが再汚染されてしまうおそれがあるから、ハンドフリーの状態で両手を同時に消毒できるものが望ましいが、現状ではそれは甚だ限られたものになっている。【０００４】例えば小型簡易なものとして、テーブル等に載置する箱型装置があり、その下方の開口部より手指を挿入すると、センサーが感知してアルコール等の消毒液を噴出する仕掛けになっていたり、或いは上方に手をかざすと下方より消毒液がスプレーされるものもある。【０００５】或いは足踏み式ポンプスタンドと称するものもあるが、これは市販の大小様々なポンプ式消毒液ボトルを支持棒の頂上の収容箱にセットして、これを足元の支持部にあるペダルを踏むことによりポンプを作動させ消毒液を噴出できるようにしたものである。
【考案の開示】
【考案が解決しようとする課題】
【０００６】いずれにしても既製のものについては、テーブル載置型は低コストで簡便ではあるものの、使用状況によっては故障など不具合が発生しやすく、屋外では電源不備やセンサー誤作動などから設置できない問題点があり、また業務用の本格的なものは甚だ高コストであったり、上記の足踏み式ポンプスタンドも様々な消毒液ボトルに対応して作動させる機構が複雑化して、不便や故障が多いなどの問題点を抱えていた。本考案はかかる問題点を解決することを課題とする。
【課題を解決するための手段】
【０００７】台座１のやや後方に略板状の縦長支柱２を垂立させるとともにその後方にそれより若干小型略同型の縦長押棒３を並立させ、両者の連結はそれらの上端において前方に向け水平に伸びる押板体４の後部の支柱側に設ける前蝶番５ａと押棒側に設ける後蝶番５ｂによるものとし、該支柱２の下端は台座１に直接固定させるともにその若干前方に踏み板６を小回動させるに足る支点体７ａを設け、該踏み板６の後端部において押棒３の下端を下蝶番５ｃで連結させ、該支柱２の中上部において落下防止体８ａ付きの消毒液用容器載置板８を前方に張り出すように設けて本考案の消毒スタンドとする。【０００８】ここで言う略板状の支柱２、押棒３、その他の部材はいずれも木製が好ましく、消毒液容器載置板８は基本的にトレイと同等とするが、これも木製が好ましい。【０００９】踏み板６の後端を踏むことにより約１５度ほど小回転（回動）させることになる支点体７ａは、必然的に台座１の上方に存在する踏み板６内部に設ける場合の横軸（図示せず）もしくは台座１上に踏み板６と挟まるように載置される横棒体７の頂上部にあたる箇所ということになるが、好ましいのは後者であり、とりわけそれが三角柱体である場合であって、そのとき支点体７ａはその頂上稜線部ということになる。【００１０】既に述べたように、台座１に垂立固定された市柱２に対し約１５度程度の小回動を許す可動的連結を押板体４にするのは蝶番５ａであり、またこの押板体４に対し同じく可動的連結を押棒３にするのは蝶番５ｂであり、さらにこの押棒３に対し同じく可動的連結を踏み板６にするのが蝶番５ｃである。【００１１】その回動においてはいわゆるてこの原理が働く。すなわち既製の消毒液用容器９の消毒液吐出管９ａの根元頂上部に当たる箇所が、足元の踏み板６の前端部を踏んだときに力点となり、前蝶番５ａで連結される箇所が支点、後蝶番５ｂで連結される箇所が作用点となる。但し踏み板６の踏みを離したときには下がった消毒液吐出管９ａが復元して上がろうとするので、今度は力点と作用点が逆に入れ替わる。また下方の踏み板６においてその後端と押棒３の下端が下蝶番５ｃで連結される箇所が作用点、横棒体７の頂上部支点体７ａに当たる箇所が支点、足で踏む箇所が力点となる。【００１２】各支点から力点及び作用点までの距離の比率は、踏み板６においては支点から力点までの距離３に対し作用点までは２、押板体４においては踏み状態における支点から力点までの距離１に対し作用点までは２程度が望ましい。試作品で試したところによれば、この比率で快適に踏み操作ができて消毒液吐出管９ａが押し下げられると同時に、離すとそれが十分復元することが判明した。【００１３】なお支柱２の側部に複数のビス穴１０を予め設けておくことにより、落下防止体８ａ付き消毒液用容器載置板８の高さ位置を変えて、該容器の大きさに対応できるようにすることは任意である。
【考案の効果】
【００１４】本考案によれば、足で踏み板（ペダル）を踏むのみで直ちに両手を消毒できる至便かつ消毒達成度の甚だ高いものにすることができるが、これは在来のものと異なり電源やセンサー等を必要としないから構造が至ってシンプルであり、従って故障しにくいものが低コストで製作でき、外観的にもオール木製の安らぎ感や親しみ感のあるものにすることが可能で、これを置く側にとっても使う側にとっても抵抗感がなく、その利用率を格段に高めることができるという効果がある。
【考案を実施するための形態】
【００１５】代表的な形態例として桧等を板状に加工したものを主材料に用いるものとし、台座１の寸法例は縦横２００ｍｍ、厚さ２５ｍｍの正方形で、そのやや後方に縦９０５ｍｍ、横１５０ｍｍ、厚さ２０ｍｍの縦長支柱２を垂立固定し、さらにその後方に約５ｍｍの隙間（クリアランス）を隔てて縦８７０ｍｍ、横６０ｍｍ、厚さ１５ｍｍの縦長板体である押棒３を並立させるが、その連結は、下端の背面において縦２００ｍｍ、横６５ｍｍ、厚さ１０ｍｍの踏み板６の後端上面と下蝶番５ｃで、上端の前面において縦１５０ｍｍ、横６０ｍｍ、厚さ１５ｍｍの押板体４の前端下面と後蝶番５ｂで小回動可能状に行う。また支柱２の上端前面と押板体４の下面は前蝶番５ａで小回動可能状に連結する。
【００１６】既に述べたように消毒液用容器載置板８はトレイと同等でありそのせり上がり部が落下防止体８ａとみなされるが、本例ではその部分も図のように前方を丸めた厚さ１５ｍｍ、高さ６０ｍｍ、長さ約１７０ｍｍの２枚の袖板状体とし、縦１５０ｍｍ、横１５０ｍｍ、厚さ１５ｍｍの受板となる消毒液用容器載置板８を挟むようにしてその後端部において支柱２の側部にビス止めする。また消毒液用容器９の大きさに対応して該載置板８の高さを変えられるように、複数のビス穴１０を所定間隔毎に支柱２の側部に設ける。
【００１７】なお台座１上で支柱２を挟むように厚さ１５ｍｍの図示したような支持板１１を設け、また汚れ防止のために木材表面にクリヤー塗装をするものとする。いずれも本考案はかかる例に限定されるものではない。
【産業上の利用可能性】
【００１８】本考案は、とりわけ今日の深刻なウイルス感染予防対策として使い勝手と消毒達成度が良いため社会的ニーズが高く、また甚だシンプルで故障しにくくなじみやすい形態に低コストで量産できるから、産業上の利用可能性は十分にある。
【図面の簡単な説明】
【００１９】
【図１】本考案一例の側面図（支持板を透明化）
【図２】本考案一例の正面図
【符号の説明】
【００２０】１……台座                ２……支柱                ３……押棒
４……押板体              ５ａ……前蝶番            ５ｂ……後蝶番
５ｃ……下蝶番            ６……踏み板              ７……横棒体
７ａ……支点体            ８……消毒液用容器載置板
９ａ……消毒液吐出管      １０……ビス穴            １１……支持板
【図１】
0003228748.tif 000003
【図２】
0003228748.tif 000004